【手続補正書】
【提出日】平成27年2月4日(2015.2.4)
【手続補正１】
【補正対象書類名】明細書
【補正対象項目名】００１２
【補正方法】変更
【補正の内容】
【００１２】
【図１】本発明に係る原稿圧着板開閉装置を用いた例えば複合機のようなＯＡ機器の原稿圧着板を開いて見た斜視図である。
【図２】本発明に係る原稿圧着板開閉装置の側面図である。
【図３】図２に示した原稿圧着板開閉装置の平面図である。
【図４】図２に示した原稿圧着板開閉装置の背面図である。
【図５】図３に示した原稿圧着板開閉装置の内部構造を説明するための側断面図である。
【図６】図３に示した原稿圧着板開閉装置の動作を説明するための側断面図である。
【図７】図３に示した原稿圧着板開閉装置の動作を説明するための側断面図である。
【図８】図２乃至図４に示した原稿圧着板開閉装置の取付部材を示し、（ａ）はその側面図、（ｂ）はその平面図、（ｃ）はその背面図である。
【図９】図２乃至図４に示した原稿圧着板開閉装置の支持部材の底面図である。
【図１０】図２乃至図４に示した原稿圧着板開閉装置ストッパー部材を示し、（ａ）はその側面図、（ｂ）はその側断面図、（ｃ）はその正面図である。
【図１１】図２乃至図４に示した原稿圧着板開閉装置のストッパー部材の他の実施例を示す側断面図である。
【図１２】本発明に係る原稿圧着板開閉装置の指挟み防止手段の他の実施例を示し、（ａ）はその側断面図、（ｂ）はその背面図である。
【図１３】本発明に係る原稿圧着板開閉装置の指挟み防止手段の他の実施例を示し、（ａ）はその平面図、（ｂ）はその背面図である。
【手続補正２】
【補正対象書類名】明細書
【補正対象項目名】００１５
【補正方法】変更
【補正の内容】
【００１５】
図２乃至図７は、本発明の実施例１に係る原稿圧着板開閉装置Ｂの一例を具体的に示す図である。本発明に係る原稿圧着板開閉装置Ｂは、装置本体ａ側へ取り付けられる取付部材１と、この取付部材１の両側板１ｂ、１ｂへその両側板２ｂ、２ｂをヒンジピン３を介して回転可能に連結した支持部材２と、この支持部材２の両側板２ｂ、２ｂの自由端側へ連結ピン４を介して該支持部材２とは異なる方向へ回転可能となるように軸着したところの、原稿圧着板Ｃを取り付けるリフト部材６と、取付部材１の両側板１ｂ、１ｂ間に設けた受圧部材５と、この受圧部材５にカム部１０ａを当接させて前記支持部材２内部に抱持板２ｃ、２ｃに抱えられて摺動可能に収装されたカムスライダー１０と、リフト部材６の両側板６ｂ、６ｂ間に設けた作動部材９と、この作動部材９に当接させて支持部材２内部に摺動可能に収装されたスプリング受部材１１と、カムスライダー１０とスプリング受部材１１との間に弾設させることにより、前記リフト部材６を支持部材２と重なり合う方向へ回転付勢させつつ、支持部材２を少なくとも原稿圧着板Ｃの開成方向へ付勢させる弾性手段１２と、取付部材１と支持部材２及び又はリフト部材６との間に設けた指挟み防止手段１３と、で構成したものである。
【手続補正３】
【補正対象書類名】明細書
【補正対象項目名】００１６
【補正方法】変更
【補正の内容】
【００１６】
さらに詳しくは、取付部材１は、とくに図８に示したように、装置本体ａ上に取り付けられる取付ベース１ａと、この取付ベース１ａの両側端部からそれぞれ当該取付ベース１ａに対して直交する上方向（略直交する方向も含む）に折り曲げた両側板１ｂ、１ｂと、取付ベース１ａの一端部（後端部）から該取付ベース１ａに対して直交する上方向（略直交する方向も含む）に折り曲げて、その両側部の一部を取付部材１の両側板１ｂ、１ｂに係止させた略矩形状の後板１ｃと、から構成されている。その他、指示記号１ｄ、１ｄのものはヒンジピン取付孔であり、指示記号１ｅ、１ｅのものは受圧部材取付孔であり、さらに指示記号１ｆ、１ｆのものは図示してない係止ピンの係止孔である。さらに、指示記号１ｇ、１ｇは係止片であり、指示記号１ｈ、１ｈ（一方のみ表示）は、係止片１ｇ、１ｇを係止させる係止孔であり、さらに指示記号１ｉ、１ｋは取付孔である。
【手続補正４】
【補正対象書類名】明細書
【補正対象項目名】００１８
【補正方法】変更
【補正の内容】
【００１８】
支持部材２は、とくに図９にも示したように、背板２ａと、この背板２ａの両端部から下方へ折り曲げられた両側板２ｂ、２ｂと、この両側板２ｂ、２ｂの下端側からは共に内側へ曲げられた抱持板２ｃ、２ｃから構成されており、両側板２ｂ、２ｂは上述したように、ヒンジピン３によって取付部材１の両側板１ｂ、１ｂへ回転可能に連結されている。両側板２ｂ、２ｂの自由端側には、連結ピン４を介してリフト部材６が回転可能に軸着されると共に、作動部材９の両端側が入り込むガイド溝部２ｄ、２ｄが設けられている。さらに、背板２ａの後部は後方へ伸張され後述する指挟み防止手段１３を構成する伸張部２ｅが設けられ、この伸張部２ｅの両端部側には、これも後述する指挟み防止手段１３を構成する溝部２ｆ、２ｆが設けられている。その他、指示記号２ｈ、２ｈは係止孔、指示記号２ｉ、２ｉは組立時に用いるストッパー孔である。
【手続補正５】
【補正対象書類名】明細書
【補正対象項目名】００２４
【補正方法】変更
【補正の内容】
【００２４】
カムスライダー１０とスプリング受部材１１の間に、互いの両端部側を当該カムスライダー１０とスプリング受部材１１の互いの開口部内に挿入させて、大径コイルスプリングから成る弾性手段１２が弾設されており、これにより、カム部１０ａは受圧部材５と圧接し、当接部１１ａは作動部材９と圧接状態にある。この弾性手段１２を構成するコイルスプリングは、１個でも２個以上でもよく、さらには大径のコイルスプリングの中に小径のコイルスプリングを入れて互いに重合させて用いても良い。実施例のものは、大径のコイルスプリングを１個用いてカムスライダー１０とスプリング受部材１１をそれぞれ互いに離間する方向に付勢させている。
【手続補正６】
【補正対象書類名】明細書
【補正対象項目名】００２９
【補正方法】変更
【補正の内容】
【００２９】
この閉成状態においては、伸張部２ｅや６ｄが後方に伸びて取付部材１やストッパー部材８の上端部側を覆い、さらに突起部８ｅ、８ｅが間隙の外方向を塞ぐので、取付部材１の部分に手を当てた状態のときに原稿圧着板Ｃが不意に開いても、取付部材１やストッパー部材８と支持部材２やリフト部材６の後端部との間で指を挟んでしまうことを防止できるものである。尚、図１０の（ｃ）において指示記号８ｆ、８ｆ・・・は取付孔である。
【手続補正７】
【補正対象書類名】明細書
【補正対象項目名】００３７
【補正方法】変更
【補正の内容】
【００３７】
図１１は、本発明に係る原稿圧着板開閉装置のさらに他の実施例を示す。この実施例２に係る原稿圧着板開閉装置Ｅは、リフト部材がない点で、実施例１のものと異なっている。即ち、取付部材２０には、取付ベース２０ａと、両側板２０ｂ、２０ｂ（一方のみ表示）と、後板２０ｃを有し、取付ベース２０ａに取付脚部２１が設けられており、この取付脚部２１は装置本体ａに設けた取付挿入孔ａ’に挿脱自在に挿入されて装置本体ａへ取り付けられている。支持部材２２は、背板２２ａと、この背板２２ａの両側から下方へ折り曲げて形成させた両側板２２ｂ、２２ｂと、この両側板２２ｂ、２２ｂの下端部側から内側へ折り曲げて形成させた抱持板２２ｃ、２２ｃ（一方のみ表示）と、背板２２ａの一端部から下方へ折り曲げて形成させた頂板２２ｄと、この頂板２２ｄを支えるべく両側板２２ｂの先端からそれぞれ内側へ折り曲げた押さえ板部２２ｅ、２２ｅ（一方のみ表示）とから構成され、ヒンジピン２３を介して取付部材２０に対して回動可能に連結されている。さらに、指示記号８のものは取付部材２０の後板２０ｃに取り付けたストッパー部材であり、指示記号８ｅ、８ｅで示したものはストッパー部材８の側板８ｃ、８ｃの上端部に設けた突起部である。このストッパー部材８の構成は実施例１のものと同じである。
【手続補正８】
【補正対象書類名】図面
【補正対象項目名】図１１
【補正方法】変更
【補正の内容】
【図１１】
2013164502.tif 000001